(57)【要約】【課題】入力画像信号が２次元画像信号から３次元画像信号に変更されたり、その反対の場合に発生する画質の低下を防止することが可能な２次元／３次元画像表示装置、その駆動方法及び電子画像機器を提供すること。【解決手段】入力画像信号によって２Ｄ又は３Ｄ画像データを生成して表示部２００に表示する２Ｄ／３Ｄ画像表示装置であって、表示部は、２Ｄ又は３Ｄ画像データに応答して画像を表示する表示パネル２２０と、３Ｄ及び２Ｄ画像データに対応して各々第１及び第２駆動モードを有する光学素子層２３０とを有し、入力画像信号が２Ｄ画像信号から３Ｄ画像信号に変更されると、光学素子層を３Ｄ画像信号が表示パネルに表示される第１期間の前に第１駆動モードに変更し、入力画像信号が３Ｄ画像信号から２Ｄ画像信号に変更されると、３Ｄ画像信号が表示パネルに表示されて、第２期間の後に第２駆動モードに変更する制御部を備えることを特徴とする。【選択図】図１
2007286623.tif 000002
【特許請求の範囲】
【請求項１】
入力画像信号によって２次元又は３次元画像データを生成して表示部に表示する２次元／３次元画像表示装置において、
前記表示部は、
前記２次元又は３次元画像データに応答して画像を表示する表示パネルと、
前記３次元及び２次元画像データに対応して各々第１及び第２駆動モードを有する光学素子層と、
を有し、
前記入力画像信号が２次元画像信号から３次元画像信号に変更されると、前記光学素子層を前記３次元画像信号が前記表示パネルに表示される第１期間の前に前記第１駆動モードに変更し、前記入力画像信号が３次元画像信号から２次元画像信号に変更されると、前記３次元画像信号が前記表示パネルに表示されて、第２期間の後に前記第２駆動モードに変更する制御部を備えることを特徴とする、２次元／３次元画像表示装置。
【請求項２】
前記第１駆動モードは、
前記３次元画像信号に対応して左眼画像及び右眼画像を生成し、前記光学素子層を利用して前記左眼画像及び右眼画像を使用者の左眼及び右眼の各々に提供する駆動モードである請求項１に記載の２次元／３次元画像表示装置。
【請求項３】
前記左眼画像は、前記右眼画像に対して所定のディスパリティを有する画像である請求項２に記載の２次元／３次元画像表示装置。
【請求項４】
前記光学素子層は、パララックスバリア方式で具現され、
前記表示パネルは、複数の左眼画素及び複数の右眼画素を含み、
前記光学素子層は、前記左眼画素及び右眼画素に対応するように配置されるバリアを含む請求項３に記載の２次元／３次元画像表示装置。
【請求項５】
前記第１期間は、前記入力画像信号が２次元画像信号から３次元画像信号に変更される直前の２次元画像信号の１フレームが前記表示パネルに表示された後から、前記３次元画像信号の最初の１フレームが前記表示パネルに表示される前までの期間である請求項１〜４のいずれかに記載の２次元／３次元画像表示装置。
【請求項６】
前記第２期間は、前記入力画像信号が３次元画像信号から２次元画像信号に変更された後から、前記２次元画像信号の最初の１フレームが前記表示パネルに表示された後までの期間である請求項１〜４のいずれかに記載の２次元／３次元画像表示装置。
【請求項７】
前記使用者の選択によって、前記入力画像信号を２次元又は３次元画像で表示する請求項１〜４のいずれかに記載の２次元／３次元画像表示装置。
【請求項８】
前記入力画像信号が２次元画像信号であるときに使用者が３次元画像表示を選択する場合に、２次元画像信号を３次元画像データに変換することができなければ、２次元画像データを生成して、前記光学素子層は、前記第２駆動モードで動作する請求項７に記載の２次元／３次元画像表示装置。
【請求項９】
２次元又は３次元画像信号を受信して、前記画像信号によって２次元又は３次元画像を表示する２次元／３次元画像表示装置において、
前記画像信号を感知して、２次元画像信号であるか、又は３次元画像信号であるかを判断し、判断の結果によって２次元及び３次元駆動モードを決定して、前記２次元又は３次元画像信号に対応する２次元又は３次元画像データを生成する制御部と、
複数のデータ線と、複数の走査線と、前記データ線及び走査線によって定義される複数の画素とを含み、前記２次元駆動モードである場合には全ての画像を透過させ、前記３次元駆動モードである場合には不透明領域を有する光学素子層を含む表示部を有し、
前記制御部は、
前記画像信号が２次元画像信号から３次元画像信号に変更されるときに、前記光学素子層を前記３次元駆動モードで動作させ、前記画像信号が３次元画像信号から２次元画像信号に変更された後に、２次元画像信号の１フレームが前記表示部に表示されれば、前記光学素子層を前記２次元駆動モードで動作させることを特徴とする、２次元／３次元画像表示装置。
【請求項１０】
前記制御部は、前記２次元又は３次元画像信号を受信して、２次元画像信号であるか、又は３次元画像信号であるかを判断し、判断の結果によって前記光学素子層制御信号を生成して、表示制御信号を生成し、
前記表示制御信号によって前記２次元又は３次元画像データを前記表示部に伝達する駆動部と、
前記光学素子層制御信号によって前記光学素子層を制御する光学素子駆動部と、
をさらに含む請求項９に記載の２次元／３次元画像表示装置。
【請求項１１】
前記制御部は、
前記２次元又は３次元画像信号を受信して、２次元画像信号であるか、又は３次元画像信号であるかを判断し、前記光学素子層の駆動モードを決定する選択部と、
前記選択部の判断の結果によって３次元画像信号を受信して、３次元画像データを生成する３次元画像処理部と、
前記選択部の判断の結果によって２次元画像信号を受信して、２次元画像データを生成する２次元画像処理部と、
外部から入力される垂直同期信号及び水平同期信号によって前記２次元又は３次元画像処理部から入力される画像データを前記駆動部に伝達するタイミング制御部と、
を含む請求項１０に記載の２次元／３次元画像表示装置。
【請求項１２】
前記選択部は、前記２次元又は３次元入力画像信号を感知して、２次元及び３次元画像信号に対応して各々２次元及び３次元駆動モードの光学素子層制御信号を生成する請求項１１に記載の２次元／３次元画像表示装置。
【請求項１３】
前記駆動部は、走査駆動部及びデータ駆動部を含み、
前記走査駆動部は、前記表示制御信号によって前記複数の走査線に各々複数の選択信号を伝達し、
前記データ駆動部は、前記表示制御信号によって前記複数のデータ線に前記２次元又は３次元画像データを伝達する請求項１０に記載の２次元／３次元画像表示装置。
【請求項１４】
前記光学素子層は、パララックスバリア方式で具現される請求項９〜１３のいずれかに記載の２次元／３次元画像表示装置。
【請求項１５】
使用者選択信号を受信する使用者インターフェースをさらに含み、
前記使用者インターフェースから伝達される使用者の選択によって前記２次元又は３次元駆動モードを決定する請求項１４に記載の２次元／３次元画像表示装置。
【請求項１６】
前記２次元画像信号が入力されるときに前記使用者の選択が３次元駆動モードである場合に、前記制御部が前記２次元画像信号を前記３次元画像データに変換することができなければ、前記制御部は、前記２次元画像信号から前記２次元画像データを生成し、前記光学素子層は、２次元駆動モードで動作する請求項１５に記載の２次元／３次元画像表示装置。
【請求項１７】
表示部に入力画像信号によって２次元又は３次元画像を表示する２次元／３次元画像表示装置において、
前記表示部は、前記入力画像信号によって第１又は第２駆動モードのうちのいずれか１つで動作する光学素子層を含み、
前記入力画像信号が２次元画像信号から３次元画像信号に変更されると、前記２次元画像信号によるフレーム及び前記３次元画像信号によるフレームの間の１フレームの間はブラック画面を表示して、前記光学素子層を前記第１駆動モードに変更し、
前記入力画像信号が３次元画像信号から２次元画像信号に変更されると、前記３次元画像信号によるフレーム及び前記２次元画像信号によるフレームの間の１フレームの間はブラック画面を表示して、前記光学素子層を前記第２駆動モードに変更することを特徴とする、２次元／３次元画像表示装置。
【請求項１８】
前記入力画像信号が２次元画像信号から３次元画像信号に変更されると、前記１フレームのブラック画面が表示される前に、前記光学素子層を前記第１駆動モードに変更し始める請求項１７に記載の２次元／３次元画像表示装置。
【請求項１９】
前記入力画像信号が３次元画像信号から２次元画像信号に変更されると、前記１フレームのブラック画面を表示した後に、前記光学素子層を前記第２駆動モードに変更し始める請求項１８に記載の２次元／３次元画像表示装置。
【請求項２０】
前記第１駆動モードは、
前記３次元画像信号に対応して左眼画像及び右眼画像を生成し、前記光学素子層を利用して前記左眼画像及び右眼画像を使用者の左眼及び右眼の各々に提供する駆動モードである請求項１７〜１９のいずれかに記載の２次元／３次元画像表示装置。
【請求項２１】
前記使用者の選択によって前記入力画像信号を２次元又は３次元画像で表示する請求項１９に記載の２次元／３次元画像表示装置。
【請求項２２】
前記入力画像信号が２次元画像信号であるときに使用者が３次元画像の表示を選択する場合に、２次元画像信号を３次元画像データに変換することができなければ、前記光学素子層は、前記第２駆動モードで動作する請求項２１に記載の２次元／３次元画像表示装置。
【請求項２３】
２次元又は３次元画像信号を受信して、前記画像信号によって２次元又は３次元画像を表示する２次元／３次元画像表示装置において、
前記画像信号を感知して、２次元画像信号であるか、又は３次元画像信号であるかを判断し、判断の結果によって２次元又は３次元駆動モードを決定する制御部と、
複数の画素を含む表示パネルと、
前記２次元駆動モードである場合には全ての画像を透過させ、前記３次元駆動モードである場合には不透明領域を有する光学素子層と、
前記表示パネルにバックライトを提供する光源と、
前記入力信号が前記２次元画像信号から３次元画像信号に変更されると、前記２次元画像信号によるフレーム及び前記３次元画像信号によるフレームの間の第１期間の間は前記光源を遮断し、前記３次元画像信号から２次元画像信号に変更されると、前記３次元画像信号によるフレーム及び前記２次元画像信号によるフレームの間の第２期間の間は前記光源を遮断する光源制御部と、
前記制御部の決定によって前記第１期間の間は前記光学素子層を前記３次元駆動モードに変更し、前記第２期間の間は前記光学素子層を前記２次元駆動モードに変更する光学素子層駆動部と、
を備えることを特徴とする、２次元／３次元画像表示装置。
【請求項２４】
前記第１期間及び第２期間は、前記１フレームと同一の期間である請求項２３に記載の２次元／３次元画像表示装置。
【請求項２５】
入力画像信号によって２次元又は３次元画像を表示する表示部と、前記３次元及び２次元画像に対応して各々第１及び第２駆動モードを有する光学素子層とを含む２次元／３次元画像表示装置の駆動方法において、
ａ）前記入力画像信号を感知して、２次元画像信号であるか、又は３次元画像信号であるかを判断する段階と、
ｂ）現在のフレームの画像信号及び直前のフレームの画像信号の各々が、２次元及び３次元画像信号であるか、又は３次元及び２次元画像信号であるかを判断する段階と、
ｃ）前記ｂ）段階の結果によって、前記現在のフレームの画像信号及び直前のフレームの画像信号の各々が３次元及び２次元画像信号である場合に、前記直前の１フレームの２次元画像信号が終われば前記光学素子層を前記第１駆動モードで動作させる段階と、
次元）前記ｂ）段階の結果によって、前記現在のフレームの画像信号及び直前のフレーム画像信号の各々が２次元及び３次元画像信号である場合に、前記現在の１フレームの２次元画像信号が終われば前記光学素子層を前記第２駆動モードで動作させる段階と、
を含むことを特徴とする、２次元／３次元画像表示装置の駆動方法。
【請求項２６】
前記第１駆動モードは、
前記３次元画像信号に対応して左眼画像及び右眼画像を生成し、前記光学素子層を利用して前記左眼画像及び右眼画像を使用者の左眼及び右眼の各々に提供する請求項２５に記載の２次元／３次元画像表示装置の駆動方法。
【請求項２７】
前記第２駆動モードは、
前記２次元画像信号に対応して前記表示部に表示される画像を全て透過させる請求項２６に記載の２次元／３次元画像表示装置の駆動方法。
【請求項２８】
使用者が第１又は第２駆動モードのうちのいずれか１つを選択する段階をさらに含む請求項２５〜２７のいずれかに記載の２次元／３次元画像表示装置の駆動方法。
【請求項２９】
前記使用者が前記第１駆動モードを選択するときに、前記２次元／３次元画像表示装置が前記２次元画像信号を３次元画像データに変換することができなければ、前記光学素子層を第２駆動モードに維持する請求項２８に記載の２次元／３次元画像表示装置の駆動方法。
【請求項３０】
入力画像信号によって２次元又は３次元画像を表示する２次元／３次元画像表示装置の駆動方法において、
ａ）前記入力画像信号を感知して、２次元画像信号であるか３次元画像信号であるかを判断する段階と、
ｂ）現在のフレームの画像信号及び直前のフレームの画像信号の各々が２次元及び３次元画像信号であるか、又は３次元及び２次元画像信号であるかを判断する段階と、
ｃ）前記ｂ）段階の結果によって、前記現在のフレームの画像信号及び直前のフレームの画像信号の各々が３次元及び２次元画像信号である場合には、前記現在のフレーム及び直前のフレームの間にブラック画面を１フレーム挿入する段階と、
を含むことを特徴とする、２次元／３次元画像表示装置の駆動方法。
【請求項３１】
次元）前記ｂ）段階の結果によって、前記現在のフレームの画像信号及び直前のフレームの画像信号の各々が２次元及び３次元画像信号である場合には、前記現在のフレーム及び直前のフレームの間にブラック画面を１フレーム挿入する段階をさらに含む請求項３０に記載の２次元／３次元画像表示装置の駆動方法。
【請求項３２】
前記２次元／３次元画像表示装置は、前記入力画像信号によって前記３次元画像信号に対応する第１駆動モード及び前記２次元画像信号に対応する第２駆動モードを有する光学素子層をさらに含み、
ｅ）前記ｃ）段階で、１フレームのブラック画面が始まる時点で、前記光学素子層の駆動モードを変更する段階と、
ｆ）前記次元）段階で、１フレームのブラック画面が表示パネルに表示されれば、前記光学素子層の駆動モードを変更する段階と、
をさらに含む請求項３１に記載の２次元／３次元画像表示装置の駆動方法。
【請求項３３】
前記ｅ）段階は、前記直前の２次元画像信号によって１フレームの２次元画像信号が表示パネルに表示された後から前記１フレームのブラック画面が始まる時点までの間に前記光学素子層の駆動モードを変更し始める請求項３２に記載の２次元／３次元画像表示装置の駆動方法。
【請求項３４】
入力画像信号によって２次元又は３次元画像を表示する表示パネルと、前記表示パネルにバックライトを提供する光源を含む２次元／３次元画像表示装置の駆動方法において、
ａ）前記入力画像信号を感知して、２次元画像信号であるか、又は３次元画像信号であるかを判断する段階と、
ｂ）現在のフレームの画像信号及び直前のフレームの画像信号の各々が２次元及び３次元画像信号であるか、又は３次元及び２次元画像信号であるかを判断する段階と、
ｃ）前記ｂ）段階の結果によって、前記現在のフレームの画像信号及び直前のフレームの画像信号の各々が３次元及び２次元画像信号である場合には、前記現在のフレーム及び直前のフレームの間の第１期間の間は前記光源を遮断する段階と、
を含むことを特徴とする、２次元／３次元画像表示装置の駆動方法。
【請求項３５】
次元）前記ｂ）段階の結果によって、前記現在のフレームの画像信号及び直前のフレームの画像信号の各々が２次元及び３次元画像信号である場合には、前記現在のフレーム及び直前のフレームの間の第２期間の間は前記光源を遮断する段階をさらに含む請求項３４に記載の２次元／３次元画像表示装置の駆動方法。
【請求項３６】
前記２次元／３次元画像表示装置は、前記入力画像信号によって前記３次元画像信号に対応する第１駆動モード及び前記２次元画像信号に対応する第２駆動モードを有する光学素子層をさらに含み、
ｅ）前記ｃ）段階で、前記第１期間の間に前記光学素子層の駆動モードを変更する段階と、
ｆ）前記次元）段階で、前記第２期間の間に前記光学素子層の駆動モードを変更する段階と、
をさらに含む請求項３５に記載の２次元／３次元画像表示装置の駆動方法。
【請求項３７】
前記第１期間及び第２期間は、前記１フレームと同一の期間である請求項３６に記載の２次元／３次元画像表示装置の駆動方法。
【請求項３８】
複数のデータ線と、複数の走査線と、前記データ線及び走査線によって定義される複数の画素とを含む表示パネルと、
入力信号によって第１又は第２モードで動作する光学素子層と、
を有し、
前記光学素子層は、
前記表示パネルで、直前の平面画像が現在の立体画像に変更される時点の前の第１期間の間は第１モードで動作し、直前の立体画像が現在の平面画像に変更された時点から第２期間の後は前記第２モードで動作することを特徴とする、電子画像機器。
【請求項３９】
前記第１期間は、前記表示パネルで、直前の平面画像が現在の立体画像に変更される前に、直前のフレームの平面画像が前記表示パネル全体に表示された後から前記現在のフレームの立体画像が表示される前までの期間である請求項３８に記載の電子画像機器。
【請求項４０】
前記第２期間は、前記表示パネルで、現在の平面画像が表示され始める時点から現在の平面画像が前記表示パネル全体に表示される時点までの期間である請求項３９に記載の電子画像機器。
【請求項４１】
前記表示パネルに立体画像が表示されるときに、前記入力信号に対応して生成された左眼及び右眼画像の各々が前記第１モードの光学素子層を透過して、使用者の左眼及び右眼の各々に提供される請求項４０に記載の電子画像機器。
【請求項４２】
前記左眼画像は、前記右眼画像に対して所定のディスパリティを有する画像である請求項４１に記載の電子画像機器。
【請求項４３】
前記表示パネルは、複数の左眼画素及び複数の右眼画素を含み、前記光学素子層は、前記左眼画素及び右眼画素に対応するように配置される請求項４２に記載の電子画像機器。
【請求項４４】
前記画素は、有機電界発光素子を含む請求項３８に記載の電子画像機器。
【請求項４５】
前記表示パネルは、
前記有機電界発光素子に駆動電流を供給する第１トランジスタと；
前記走査線から伝達される第１選択信号によって前記データ線から伝達される信号を前記第１トランジスタに伝達する第２トランジスタと；
前記第１トランジスタのゲート電極に一端が連結されている第１容量性素子と；
を含む請求項４４に記載の電子画像機器。
【請求項４６】
前記第１トランジスタをダイオード連結させる第３トランジスタと；
前記第１容量性素子の他端に一端が連結され、第１電源電圧が他端に連結されている第２容量性素子と；
をさらに含む請求項４５に記載の電子画像機器。
【請求項４７】
前記第１トランジスタをダイオード連結させる第３トランジスタと；
前記第１トランジスタの第１電極及び前記データ線に連結されている第４トランジスタと；
第２選択信号によって前記第１容量性素子の一端に初期化電圧を伝達する第５トランジスタと；
前記第１トランジスタの第１電極及び前記有機電界発光素子のアノード電極の間に連結されている第６トランジスタと；
前記第１トランジスタのゲート電極に一端が連結され、前記第２選択信号が他端に伝達される第２容量性素子と；
をさらに含む請求項４５に記載の電子画像機器。
【請求項４８】
前記画素は、液晶容量性素子及びスイッチング素子を含む請求項３８に記載の電子画像機器。
【請求項４９】
前記光学素子層は、バリア方式で駆動されるバリア層である請求項３８に記載の電子画像機器。
【請求項５０】
複数のデータ線と、複数の走査線と、前記データ線及び走査線によって定義される複数の画素とを含み、少なくとも第１領域及び第２領域を含む表示パネルと、
前記第１領域に対応し、入力信号によって第１又は第２モードで動作する光学素子層と、を有し、
前記光学素子層は、前記表示パネルで、直前の平面画像が現在の立体画像に変更される時点の前の第１期間の間は第１モードで動作し、直前の立体画像が現在の平面画像に変更された時点から第２期間の後は前記第２モードで動作することを特徴とする、電子画像機器。
【請求項５１】
前記入力信号は、立体画像信号及び平面画像信号を含み、前記第１領域は、前記立体画像信号又は平面画像信号が表示され、前記第２領域は、前記平面画像信号が表示される請求項５０に記載の電子画像機器。
【請求項５２】
前記第１期間は、前記第１領域で、直前の平面画像が現在の立体画像に変更される前に、直前のフレームの平面画像が前記表示パネル全体に表示された後から前記現在のフレームの立体画像が表示される前までの期間である請求項５１に記載の電子画像機器。
【請求項５３】
前記第２期間は、前記第１領域で、現在の平面画像が表示され始める時点から現在の平面画像が前記表示パネル全体に表示される時点までの期間である請求項５２に記載の電子画像機器。
【請求項５４】
前記画素は、有機電界発光素子を含む請求項５０に記載の電子画像機器。
【請求項５５】
前記表示パネルは、
前記有機電界発光素子に駆動電流を供給する第１トランジスタと；
前記走査線から伝達される第１選択信号によって前記データ線から伝達される信号を前記第１トランジスタに伝達する第２トランジスタと；
前記第１トランジスタのゲート電極に一端が連結されている第１容量性素子と；
を含む請求項５４に記載の電子画像機器。
【請求項５６】
前記第１トランジスタをダイオード連結させる第３トランジスタと；
前記第１容量性素子の他端に一端が連結され、第１電源電圧が他端に連結されている第２容量性素子と；
をさらに含む請求項５５に記載の電子画像機器。
【請求項５７】
前記第１トランジスタをダイオード連結させる第３トランジスタと；
前記第１トランジスタの第１電極及び前記データ線に連結されている第４トランジスタと；
第２選択信号によって前記第１容量性素子の一端に初期化電圧を伝達する第５トランジスタと；
前記第１トランジスタの第１電極及び前記有機電界発光素子のアノード電極の間に連結されている第６トランジスタと；
前記第１トランジスタのゲート電極に一端が連結され、前記第２選択信号が他端に伝達される第２容量性素子と；
をさらに含む請求項５５に記載の電子画像機器。
【請求項５８】
前記画素は、液晶容量性素子及びスイッチング素子を含む請求項５０に記載の電子画像機器。
【請求項５９】
前記光学素子層は、バリア方式で駆動されるバリア層である請求項５０に記載の電子画像機器。
【発明の詳細な説明】
【技術分野】
【０００１】
本発明は、電子画像機器に関し、特に、入力される２次元又は３次元画像信号によってデータを生成して表示する２次元又は３次元画像の表示が可能な２次元／３次元画像表示装置、その駆動方法及び電子画像機器に関する。
【背景技術】
【０００２】
一般に、人間が立体感を認識する要因としては、生理的な要因及び経験的な要因があるが、一般に、３次元（３Ｄ）画像表示技術では、近距離で立体感を認識する最も大きな要因である両眼視差（binocular  parallax）を利用して、物体の立体感を表現する。
【０００３】
一般に、立体画像表示装置は、光学素子を利用して左右の画像を空間的に分離して、立体画像を表示することができるようにする方式を使用する。代表的なものとして、レンチキュラーレンズアレイ（lenticular  lens  array）を利用する方式及びパララックスバリア（parallax  barrier）を利用する方式がある。
【発明の開示】
【発明が解決しようとする課題】
【０００４】
一方で、最近では、２次元（２Ｄ）及び３次元（３Ｄ）画像の両方を表示することができる立体画像表示装置が開発されて商用化されている。
【０００５】
このような２Ｄ及び３Ｄ画像を選択的に表示することができる立体画像表示装置は、光学素子の動作特性によって画質が低下することがある。特に、２Ｄ及び３Ｄ駆動モードに互いに変更される場合に、画質が低下する問題が発生する。２Ｄ駆動モードから３Ｄ駆動モードに変更される場合に、光学素子は、全体が同時に３Ｄ駆動モードに変更される。そうすると、表示画面の一部の領域には２Ｄ画像が表示され、３Ｄ駆動モードの光学素子を通じて２Ｄ画像が表示される。これとは異なって、３Ｄ駆動モードから２Ｄ駆動モードに変更される場合に、光学素子は、全体が同時に２Ｄ駆動モードに変更される。そうすると、表示画面の一部の領域には３Ｄ画像が表示され、２Ｄ駆動モードの光学素子を通じて３Ｄ画像が表示される。このように、光学素子の駆動モード及び表示画面の一部の領域の駆動モードが互いに異なる場合に、画質が低下する問題が発生する。
【０００６】
そこで、本発明は、上記問題に鑑みてなされたものであり、本発明の目的とするところは、入力画像信号が２次元画像信号から３次元画像信号に変更されたり、その反対の場合に発生する画質の低下を防止することが可能な、新規かつ改良された２次元／３次元画像表示装置、その駆動方法及び電子画像機器を提供することにある。
【課題を解決するための手段】
【０００７】
上記課題を解決するために、本発明のある観点によれば、入力画像信号によって２次元又は３次元画像データを生成して表示部に表示する２次元／３次元画像表示装置であって、表示部は、２次元又は３次元画像データに応答して画像を表示する表示パネルと、３次元及び２次元画像データに対応して各々第１及び第２駆動モードを有する光学素子層とを有し、入力画像信号が２次元画像信号から３次元画像信号に変更されると、光学素子層を３次元画像信号が表示パネルに表示される第１期間の前に第１駆動モードに変更し、入力画像信号が３次元画像信号から２次元画像信号に変更されると、３次元画像信号が表示パネルに表示されて、第２期間の後に第２駆動モードに変更する制御部を備える２次元／３次元画像表示装置が提供される。
【０００８】
上記第１駆動モードは、３次元画像信号に対応して左眼画像及び右眼画像を生成し、光学素子層を利用して左眼画像及び右眼画像を使用者の左眼及び右眼の各々に提供する駆動モードであってもよい。
【０００９】
上記左眼画像は、右眼画像に対して所定のディスパリティを有する画像であってもよい。
【００１０】
上記光学素子層は、パララックスバリア方式で具現され、表示パネルは、複数の左眼画素及び複数の右眼画素を含み、光学素子層は、左眼画素及び右眼画素に対応するように配置されるバリアを含んでもよい。
【００１１】
上記第１期間は、入力画像信号が２次元画像信号から３次元画像信号に変更される直前の２次元画像信号の１フレームが表示パネルに表示された後から、３次元画像信号の最初の１フレームが表示パネルに表示される前までの期間であってもよい。
【００１２】
上記第２期間は、入力画像信号が３次元画像信号から２次元画像信号に変更された後から、２次元画像信号の最初の１フレームが表示パネルに表示された後までの期間であってもよい。
【００１３】
上記使用者の選択によって、入力画像信号を２次元又は３次元画像で表示してもよい。
【００１４】
上記入力画像信号が２次元画像信号であるときに使用者が３次元画像表示を選択する場合に、２次元画像信号を３次元画像データに変換することができなければ、２次元画像データを生成して、光学素子層は、第２駆動モードで動作してもよい。
【００１５】
また、上記課題を解決するために、本発明の別の観点によれば、２次元又は３次元画像信号を受信して、画像信号によって２次元又は３次元画像を表示する２次元／３次元画像表示装置であって、画像信号を感知して、２次元画像信号であるか、又は３次元画像信号であるかを判断し、判断の結果によって２次元及び３次元駆動モードを決定して、２次元又は３次元画像信号に対応する２次元又は３次元画像データを生成する制御部と、複数のデータ線と複数の走査線とデータ線及び走査線によって定義される複数の画素とを含み、２次元駆動モードである場合には全ての画像を透過させ、３次元駆動モードである場合には不透明領域を有する光学素子層を含む表示部を有し、制御部は、画像信号が２次元画像信号から３次元画像信号に変更されるときに、光学素子層を３次元駆動モードで動作させ、画像信号が３次元画像信号から２次元画像信号に変更された後に、２次元画像信号の１フレームが表示部に表示されれば、光学素子層を２次元駆動モードで動作させる２次元／３次元画像表示装置が提供される。
【００１６】
上記制御部は、２次元又は３次元画像信号を受信して、２次元画像信号であるか、又は３次元画像信号であるかを判断し、判断の結果によって光学素子層制御信号を生成して、表示制御信号を生成し、表示制御信号によって２次元又は３次元画像データを表示部に伝達する駆動部と、光学素子層制御信号によって光学素子層を制御する光学素子駆動部とをさらに含んでもよい。
【００１７】
上記制御部は、２次元又は３次元画像信号を受信して、２次元画像信号であるか、又は３次元画像信号であるかを判断し、光学素子層の駆動モードを決定する選択部と、選択部の判断の結果によって３次元画像信号を受信して、３次元画像データを生成する３次元画像処理部と、選択部の判断の結果によって２次元画像信号を受信して、２次元画像データを生成する２次元画像処理部と、外部から入力される垂直同期信号及び水平同期信号によって２次元又は３次元画像処理部から入力される画像データを駆動部に伝達するタイミング制御部とを含んでもよい。
【００１８】
上記選択部は、２次元又は３次元入力画像信号を感知して、２次元及び３次元画像信号に対応して各々２次元及び３次元駆動モードの光学素子層制御信号を生成してもよい。
【００１９】
上記駆動部は、走査駆動部及びデータ駆動部を含み、走査駆動部は、表示制御信号によって複数の走査線に各々複数の選択信号を伝達し、データ駆動部は、表示制御信号によって複数のデータ線に２次元又は３次元画像データを伝達してもよい。
【００２０】
上記光学素子層は、パララックスバリア方式で具現されてもよい。
【００２１】
使用者選択信号を受信する使用者インターフェースをさらに含み、使用者インターフェースから伝達される使用者の選択によって２次元又は３次元駆動モードを決定してもよい。
【００２２】
上記２次元画像信号が入力されるときに使用者の選択が３次元駆動モードである場合に、制御部が２次元画像信号を３次元画像データに変換することができなければ、制御部は、２次元画像信号から２次元画像データを生成し、光学素子層は、２次元駆動モードで動作してもよい。
【００２３】
また、上記課題を解決するために、本発明の別の観点によれば、表示部に入力画像信号によって２次元又は３次元画像を表示する２次元／３次元画像表示装置であって、表示部は、入力画像信号によって第１又は第２駆動モードのうちのいずれか１つで動作する光学素子層を含み、入力画像信号が２次元画像信号から３次元画像信号に変更されると、２次元画像信号によるフレーム及び３次元画像信号によるフレームの間の１フレームの間はブラック画面を表示して、光学素子層を第１駆動モードに変更し、入力画像信号が３次元画像信号から２次元画像信号に変更されると、３次元画像信号によるフレーム及び２次元画像信号によるフレームの間の１フレームの間はブラック画面を表示して、光学素子層を第２駆動モードに変更する２次元／３次元画像表示装置が提供される。
【００２４】
上記入力画像信号が２次元画像信号から３次元画像信号に変更されると、１フレームのブラック画面が表示される前に、光学素子層を第１駆動モードに変更し始めてもよい。
【００２５】
上記入力画像信号が３次元画像信号から２次元画像信号に変更されると、１フレームのブラック画面を表示した後に、光学素子層を第２駆動モードに変更し始めてもよい。
【００２６】
上記第１駆動モードは、３次元画像信号に対応して左眼画像及び右眼画像を生成し、光学素子層を利用して左眼画像及び右眼画像を使用者の左眼及び右眼の各々に提供する駆動モードであってもよい。
【００２７】
上記使用者の選択によって入力画像信号を２次元又は３次元画像で表示してもよい。
【００２８】
上記入力画像信号が２次元画像信号であるときに使用者が３次元画像の表示を選択する場合に、２次元画像信号を３次元画像データに変換することができなければ、光学素子層は、第２駆動モードで動作してもよい。
【００２９】
また、上記課題を解決するために、本発明の別の観点によれば、２次元又は３次元画像信号を受信して、画像信号によって２次元又は３次元画像を表示する２次元／３次元画像表示装置において、画像信号を感知して、２次元画像信号であるか、又は３次元画像信号であるかを判断し、判断の結果によって２次元又は３次元駆動モードを決定する制御部と、複数の画素を含む表示パネルと、２次元駆動モードである場合には全ての画像を透過させ、３次元駆動モードである場合には不透明領域を有する光学素子層と、表示パネルにバックライトを提供する光源と、入力信号が２次元画像信号から３次元画像信号に変更されると、２次元画像信号によるフレーム及び３次元画像信号によるフレームの間の第１期間の間は光源を遮断し、３次元画像信号から２次元画像信号に変更されると、３次元画像信号によるフレーム及び２次元画像信号によるフレームの間の第２期間の間は光源を遮断する光源制御部と、制御部の決定によって第１期間の間は光学素子層を３次元駆動モードに変更し、第２期間の間は光学素子層を２次元駆動モードに変更する光学素子層駆動部とを備える２次元／３次元画像表示装置が提供される。
【００３０】
上記第１期間及び第２期間は、１フレームと同一の期間であってもよい。
【００３１】
また、上記課題を解決するために、本発明の別の観点によれば、入力画像信号によって２次元又は３次元画像を表示する表示部と、３次元及び２次元画像に対応して各々第１及び第２駆動モードを有する光学素子層を含む２次元／３次元画像表示装置の駆動方法であって、ａ）入力画像信号を感知して、２次元画像信号であるか、又は３次元画像信号であるかを判断する段階と、ｂ）現在のフレームの画像信号及び直前のフレームの画像信号の各々が２次元及び３次元画像信号であるか、又は３次元及び２次元画像信号であるかを判断する段階と、ｃ）上記ｂ）段階の結果によって、現在のフレームの画像信号及び直前のフレームの画像信号の各々が３次元及び２次元画像信号である場合に、直前の１フレームの２次元画像信号が終われば、光学素子層を第１駆動モードで動作させる段階と、及び次元）上記ｂ）段階の結果によって、現在のフレームの画像信号及び直前のフレームの画像信号の各々が２次元画像信号及び３次元画像信号である場合に、現在の１フレームの２次元画像信号が終われば、光学素子層を第２駆動モードで動作させる段階とを含む２次元／３次元画像表示装置の駆動方法が提供される。
【００３２】
上記第１駆動モードは、３次元画像信号に対応して左眼画像及び右眼画像を生成し、光学素子層を利用して左眼画像及び右眼画像を使用者の左眼及び右眼の各々に提供してもよい。
【００３３】
上記第２駆動モードは、２次元画像信号に対応して表示部に表示される画像を全て透過させてもよい。
【００３４】
使用者が第１又は第２駆動モードのうちのいずれか１つを選択する段階をさらに含んでもよい。
【００３５】
上記使用者が第１駆動モードを選択するときに、２次元／３次元画像表示装置が２次元画像信号を３次元画像データに変換することができなければ、光学素子層を第２駆動モードに維持してもよい。
【００３６】
また、上記課題を解決するために、本発明の別の観点によれば、入力画像信号によって２次元又は３次元画像を表示する２次元／３次元画像表示装置の駆動方法であって、ａ）入力画像信号を感知して、２次元画像信号であるか３次元画像信号であるかを判断する段階と、ｂ）現在のフレームの画像信号及び直前のフレームの画像信号の各々が２次元及び３次元画像信号であるか、又は３次元及び２次元画像信号であるかを判断する段階と、ｃ）上記ｂ）段階の結果によって、現在のフレームの画像信号及び直前のフレームの画像信号の各々が３次元及び２次元画像信号である場合には、現在のフレーム及び直前のフレームの間にブラック画面を１フレーム挿入する段階とを含む２次元／３次元画像表示装置の駆動方法が提供される。更に、次元）上記ｂ）段階の結果によって、現在のフレームの画像信号及び直前のフレームの画像信号の各々が２次元及び３次元画像信号である場合には、現在のフレーム及び直前のフレームの間にブラック画面を１フレーム挿入する段階を含んでもよい。また、上記２次元／３次元画像表示装置は、入力画像信号によって３次元画像信号に対応する第１駆動モード及び２次元画像信号に対応する第２駆動モードを有する光学素子層をさらに含み、ｅ）上記ｃ）段階で、１フレームのブラック画面が始まる時点で、光学素子層の駆動モードを変更する段階と、ｆ）上記次元）段階で、１フレームのブラック画面が表示パネルに表示されれば、光学素子層の駆動モードを変更する段階をさらに含んでもよい。
【００３７】
上記ｅ）段階は、直前の２次元画像信号によって１フレームの２次元画像信号が表示パネルに表示された後から１フレームのブラック画面が始まる時点までの間に光学素子層の駆動モードを変更し始めてもよい。
【００３８】
また、上記課題を解決するために、本発明の別の観点によれば、入力画像信号によって２次元又は３次元画像を表示する表示パネルと、表示パネルにバックライトを提供する光源を含む２次元／３次元画像表示装置の駆動方法であって、ａ）入力画像信号を感知して、２次元画像信号であるか、又は３次元画像信号であるかを判断する段階と、ｂ）現在のフレームの画像信号及び直前のフレームの画像信号の各々が２次元及び３次元画像信号であるか、又は３次元及び２次元画像信号であるかを判断する段階と、ｃ）上記ｂ）段階の結果によって、現在のフレームの画像信号及び直前のフレームの画像信号の各々が３次元及び２次元画像信号である場合には、現在のフレーム及び直前のフレームの間の第１期間の間は光源を遮断する段階とを含む２次元／３次元画像表示装置の駆動方法が提供される。また、次元）上記ｂ）段階の結果によって、現在のフレームの画像信号及び直前のフレームの画像信号の各々が２次元及び３次元画像信号である場合には、現在のフレーム及び直前のフレームの間の第２期間の間は光源を遮断する段階をさらに含んでもよい。
【００３９】
上記２次元／３次元画像表示装置は、入力画像信号によって３次元画像信号に対応する第１駆動モード及び２次元画像信号に対応する第２駆動モードを有する光学素子層をさらに含み、ｅ）上記ｃ）段階で、第１期間の間に光学素子層の駆動モードを変更する段階と、ｆ）上記次元）段階で、第２期間の間に光学素子層の駆動モードを変更する段階とをさらに含んでもよい。
【００４０】
上記第１期間及び第２期間は、１フレームと同一の期間であってもよい。
【００４１】
また、上記課題を解決するために、本発明の別の観点によれば、複数のデータ線と、複数の走査線と、データ線及び走査線によって定義される複数の画素とを含む表示パネルと、入力信号によって第１又は第２モードで動作する光学素子層とを有し、光学素子層は、表示パネルで直前の平面画像が現在の立体画像に変更される時点の前の第１期間の間は第１モードで動作し、直前の立体画像が現在の平面画像に変更された時点から第２期間の後は第２モードで動作する電子画像機器が提供される。
【００４２】
上記第１期間は、表示パネルで、直前の平面画像が現在の立体画像に変更される前に、直前のフレームの平面画像が表示パネル全体に表示された後から現在のフレームの立体画像が表示される前までの期間であってもよい。
【００４３】
上記第２期間は、表示パネルで、現在の平面画像が表示され始める時点から現在の平面画像が表示パネル全体に表示される時点までの期間であってもよい。
【００４４】
上記表示パネルに立体画像が表示されるときに、入力信号に対応して生成された左眼及び右眼画像の各々が第１モードの光学素子層を透過して、使用者の左眼及び右眼の各々に提供されてもよい。
【００４５】
上記左眼画像は、右眼画像に対して所定のディスパリティを有する画像であってもよい。
【００４６】
上記表示パネルは、複数の左眼画素及び複数の右眼画素を含み、光学素子層は、左眼画素及び右眼画素に対応するように配置されてもよい。
【００４７】
上記画素は、有機電界発光素子を含んでもよい。
【００４８】
上記表示パネルは、有機電界発光素子に駆動電流を供給する第１トランジスタと、走査線から伝達される第１選択信号によってデータ線から伝達される信号を第１トランジスタに伝達する第２トランジスタと、第１トランジスタのゲート電極に一端が連結されている第１容量性素子とを含んでもよい。
【００４９】
上記第１トランジスタをダイオード連結させる第３トランジスタと、第１容量性素子の他端に一端が連結され、第１電源電圧が他端に連結されている第２容量性素子とをさらに含んでもよい。
【００５０】
上記第１トランジスタをダイオード連結させる第３トランジスタと、第１トランジスタの第１電極及びデータ線に連結されている第４トランジスタと、第２選択信号によって第１容量性素子の一端に初期化電圧を伝達する第５トランジスタと、第１トランジスタの第１電極及び有機電界発光素子のアノード電極の間に連結されている第６トランジスタと、第１トランジスタのゲート電極に一端が連結され、第２選択信号が他端に伝達される第２容量性素子とをさらに含んでもよい。
【００５１】
上記画素は、液晶容量性素子及びスイッチング素子を含んでもよい。
【００５２】
上記光学素子層は、バリア方式で駆動されるバリア層であってもよい。
【００５３】
また、上記課題を解決するために、本発明の別の観点によれば、複数のデータ線と、複数の走査線と、データ線及び走査線によって定義される複数の画素とを含み、少なくとも第１領域及び第２領域を含む表示パネルと、第１領域に対応し、入力信号によって第１又は第２モードで動作する光学素子層とを有し、光学素子層は、表示パネルで、直前の平面画像が現在の立体画像に変更される時点の前の第１期間の間は第１モードで動作し、直前の立体画像が現在の平面画像に変更された時点から第２期間の後は第２モードで動作する電子画像機器が提供される。
【００５４】
上記入力信号は、立体画像信号及び平面画像信号を含み、第１領域は、立体画像信号又は平面画像信号が表示され、第２領域は、平面画像信号が表示されてもよい。
【００５５】
上記第１期間は、第１領域で、直前の平面画像が現在の立体画像に変更される前に、直前のフレームの平面画像が表示パネル全体に表示された後から現在のフレームの立体画像が表示される前までの期間であってもよい。
【００５６】
上記第２期間は、第１領域で、現在の平面画像が表示され始める時点から現在の平面画像が表示パネル全体に表示される時点までの期間であってもよい。
【００５７】
上記画素は、有機電界発光素子を含んでもよい。
【００５８】
上記表示パネルは、有機電界発光素子に駆動電流を供給する第１トランジスタと、走査線から伝達される第１選択信号によってデータ線から伝達される信号を第１トランジスタに伝達する第２トランジスタと、第１トランジスタのゲート電極に一端が連結されている第１容量性素子とを含んでもよい。
【００５９】
上記第１トランジスタをダイオード連結させる第３トランジスタと、第１容量性素子の他端に一端が連結され、第１電源電圧が他端に連結されている第２容量性素子とをさらに含んでもよい。
【００６０】
上記第１トランジスタをダイオード連結させる第３トランジスタと、第１トランジスタの第１電極及びデータ線に連結されている第４トランジスタと、第２選択信号によって第１容量性素子の一端に初期化電圧を伝達する第５トランジスタと、第１トランジスタの第１電極及び有機電界発光素子のアノード電極の間に連結されている第６トランジスタと、第１トランジスタのゲート電極に一端が連結され、第２選択信号が他端に伝達される第２容量性素子とをさらに含んでもよい。
【００６１】
上記画素は、液晶容量性素子及びスイッチング素子を含んでもよい。
【００６２】
上記光学素子層は、バリア方式で駆動されるバリア層であってもよい。
【発明の効果】
【００６３】
本発明によれば、入力画像信号が２次元画像信号から３次元画像信号に変更されたり、その反対の場合に発生する画質の低下を防止することができる。
【発明を実施するための最良の形態】
【００６４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００６５】
明細書全体を通して、ある部分がある構成要素を「含む」とする時、特に反対の記載がない限り、他の構成要素を除外するのではなく、他の構成要素もさらに含むことができることを意味する。
【００６６】
（１．第１の実施形態の構成）
まず、本発明の第１の実施形態に係る立体画像表示装置の構成について説明する。図１は、本発明の第１の実施形態に係る電子機器としての立体画像表示装置を概略的に示した図面である。
【００６７】
図１に示したように、本実施形態に係る立体画像表示装置は、２次元（２Ｄ）及び３次元（３Ｄ）画像を選択的に表示することができる装置であって、制御部（Controller）１００と、表示部２００と、データ駆動部（Data  driver）３００と、走査駆動部（Scan  Driver）４００と、バリア駆動部（Barrier  driver）５００と、光源制御部（Light  source  controller）６００と、ユーザインターフェース（User  interface）７００とを含む。
【００６８】
［１．１  制御部１００］
制御部１００は、外部から２Ｄ／３Ｄ画像信号（image  signal）（ＩＳ）、水平同期信号（Ｈｓｙｎｃ）、及び垂直同期信号（Ｖｓｙｎｃ）を受信して、走査駆動部制御信号（ＳＳ）、データ駆動部制御信号（ＳＤ）、画像データ信号（ＤＡＴ）、光源制御部制御信号（ＳＬ）、及びバリア駆動部制御信号（ＳＢ）を生成し、各々走査駆動部４００、データ駆動部３００、光源制御部６００、及びバリア駆動部５００に出力する。ここで、制御部１００に入力される２Ｄ／３Ｄ画像信号（ＩＳ）は、一般的な２Ｄ画像データ、客体の３次元空間座標及び表面情報を含んで平面上に立体的に表示される３Ｄグラフィックデータ、及び各時点の画像データを含む３Ｄ画像データのうちのいずれか１つである。本実施形態に係る制御部１００は、入力画像信号又は使用者の選択によって駆動モードを決定する。具体的には、駆動モードは、２Ｄ駆動モード及び３Ｄ駆動モードを含み、各駆動モードによるバリア駆動部制御信号（ＳＢ）が、バリア駆動部を各駆動モードに適するように動作させる。
【００６９】
［１．２  表示部２００］
表示部２００は、光源２１０、表示パネル２２０、及びバリア２３０を含む。本実施形態に係る表示部２００は、光源２１０、表示パネル２２０、及びバリア２３０の順で積層された構造に形成されている。本実施形態に係る光学素子層は、パララックスバリア（parallax  barrier）を利用し、以下では、単に「バリア２３０」とする。本実施形態の第１の実施例に係る表示部２００は、液晶表示パネルである。
【００７０】
図２は、本実施形態の第１の実施例に係る液晶表示パネルの画素回路を示した図面である。図２に示したように、走査線（ＳＣＡＮｉ）及びデータ線（ＤＡＴＡｊ）に連結された画素２２１は、スイッチング素子（Ｑ）と、液晶容量性素子（Ｃｌｃ）と、ストレージ容量性素子（Ｃｓｔ）とを含む。
【００７１】
表示パネル２２０は、選択信号（Ｓ１〜Ｓｎ）を伝達する複数の走査線（図示せず。）と、複数の走査線と絶縁されて交差して、データ信号（Ｄ１〜Ｄｍ）を伝達する複数のデータ線（図示せず。）と、走査線及びデータ線の交差点に形成された複数の副画素（図示せず）とを含む。本実施形態では、赤色（Ｒ）の表示のための赤色副画素、緑色（Ｇ）の表示のための緑色副画素、及び青色（Ｂ）の表示のための青色副画素が共に１つの画素を形成すると仮定する。
【００７２】
本実施形態の第２の実施例に係る表示パネルは、受光素子である液晶画素の代わりに、有機電界発光素子を使用する。
【００７３】
具体的には、有機電界発光素子（organic  electroluminescence）は、超薄型化が可能であり、色再現力が優れている。また、有機電界発光素子は、応答速度が早く、自発光（Self  Emission）形態であるので、輝度が優れていて、構造が簡単で、生産が容易で、軽量薄型化が可能な長所がある。
【００７４】
図３は有機電界発光素子を使用する表示パネル２２０の画素回路を示した図面である。
【００７５】
図３に示したように、画素回路は、有機電界発光素子（ＯＬＥＤ）と、スイッチングトランジスタ（ＳＷ１）と、ダイオード連結トランジスタ（ＳＷ２）と、駆動トランジスタ（ＳＷ３）と、容量性素子（Ｃ１、Ｃ２）とを含む。ここで、スイッチングトランジスタ（ＳＷ１）は、Ｎ型トランジスタからなり、ダイオード連結トランジスタ（ＳＷ２）は、Ｎ型トランジスタからなり、駆動トランジスタ（ＳＷ３）は、Ｐ型トランジスタからなるが、ゲート線に印加されるゲート信号によって、その導電型が反対になることもある。上記のようなしきい電圧補償手段を備えた画素回路の動作を見てみると、下記の通りである。
【００７６】
まず、走査線（ＧＬ１）に第１選択信号が印加されることによってスイッチングトランジスタ（ＳＷ１）がターンオン（Ｔｕｒｎ  Ｏｎ）されると、ノード（Ａ１）にデータ電圧（Ｖｄａｔａ）が印加される。このとき、データ電圧（Ｖｄａｔａ）は第１電源電圧（ＶＤＤ）と同じである。
【００７７】
次に、スイッチングトランジスタ（ＳＷ１）がターンオンされた状態で、第２ゲート線（ＧＬ２）から伝達される第２選択信号によってダイオード連結トランジスタ（ＳＷ２）がターンオンされると、駆動薄膜トランジスタ（ＳＷ３）は、ゲート電極及びドレイン電極が連結されて、ダイオード型トランジスタになる。そうすると、第１電源電圧（ＶＤＤ）及び第２電源電圧（ＶＳＳ）の間の電流経路には２つのダイオード（ＯＬＥＤ、ＳＷ３）が電気的に連結され、ノード（Ａ２）の電圧は、第１電源電圧の大きさと駆動トランジスタ（ＳＷ３）のしきい電圧（Ｖｔｈ）の絶対値との差（ＶＤＤ−|Ｖｔｈ|）になる。このとき、この電圧差は、駆動トランジスタ（ＳＷ３）のゲート電極に同時に印加されて、第１容量性素子（Ｃ１）の一端に印加されるようになる。次に、第２ゲート線（ＧＬ２）から伝達される第２選択信号によってダイオード連結トランジスタ（ＳＷ２）がターンオフ（Ｔｕｒｎ  Ｏｆｆ）されると、データ電圧（Ｖｄａｔａ）が第１容量性素子（Ｃ１）の他端に印加されるようになる。本実施形態の第２の実施例に係るデータ電圧（Ｖｄａｔａ）は、データ信号（Ｄｉ）の電圧である。
【００７８】
このとき、第１容量性素子（Ｃ１）には補償段階でしきい電圧が充電されているので、駆動トランジスタ（ＳＷ３）の飽和領域（Saturation）に到達する時間が減少する。駆動トランジスタ（ＳＷ３）が駆動されると、データ信号（Ｖｄａｔａ）に対応して駆動トランジスタ（ＳＷ３）を通じて有機ＥＬ素子（ＯＬＥＤ）に電流が流れて発光する。
【００７９】
このとき、第１容量性素子（Ｃ１）の両端に印加される電圧差は、ノード（Ａ２）を基準に見るとき、電圧（Ｖｔｈ）になり、第２容量性素子（Ｃ２）の両端に印加される電圧差は、ノード（Ａ１）を基準に見る時、電圧（Ｖｄａｔａ−ＶＤＤ）になって、結果的に、駆動薄膜トランジスタ（ＳＷ３）のゲート電極及びソース電極の間に印加される電圧（Ｖｇｓ）は、第１容量性素子（Ｃ１）及び第２容量性素子（Ｃ２）の電圧が直列連結されて発生する電圧（Ｖｄａｔａ−ＶＤＤ＋Ｖｔｈ）になる。この時、有機電界発光素子に供給される電流及び電圧（Ｖｇｓ）の関係は、下記の数式１の通りである。
【００８０】
【数１】
2007286623.tif 000003
【００８１】
また、図４は、本実施形態の第３の実施例に係る画素回路を示した図面である。本実施形態の第３の実施例に係る有機発光表示装置は、発光制御信号を表示パネルに伝達する発光制御線をさらに含む。
【００８２】
図４に示したように、本実施形態の第３の実施例に係る画素回路は、第１〜第６トランジスタ（Ｔ１〜Ｔ６）及び第１及び第２容量性素子（Ｃ１１、Ｃ１２）を含む。第３トランジスタ（Ｔ３）は、選択信号（Ｓｉ）が伝達される走査線（ＳＣＡＮｉ）にゲート電極が連結され、第３トランジスタ（Ｔ３）のソース電極は、データ線に電気的に連結され、ドレイン電極は、第１トランジスタ（Ｔ１）のドレイン電極に電気的に連結される。第１トランジスタ（Ｔ１）は、第２容量性素子（Ｃ１２）の一端にゲート電極が電気的に連結され、第２容量性素子（Ｃ１２）の他端は、第３トランジスタ（Ｔ３）のゲート電極及び走査線（ＳＣＡＮｉ）に電気的に連結される。第１トランジスタ（Ｔ１）のソース電極は、第２トランジスタ（Ｔ２）のドレイン電極に電気的に連結され、第５トランジスタ（Ｔ５）のドレイン電極とも電気的に連結される。第２トランジスタ（Ｔ２）のゲート電極は、走査線（ＳＣＡＮｉ）に電気的に連結される。第５トランジスタ（Ｔ５）のソース電極は、第１電源電圧（ＶＤＤ）に電気的に連結され、ゲート電極は、第６トランジスタ（Ｔ６）のゲート電極に電気的に連結される。また、第６トランジスタ（Ｔ６）は、第１トランジスタ（Ｔ１）及び有機電界発光素子（ＯＬＥＤ）のアノード電極の間に位置し、第６トランジスタ（Ｔ６）のゲート電極は、発光制御信号を伝達する発光制御線（Ｅｍｉ）に電気的に連結される。第１トランジスタ（Ｔ１）のゲート電極は、第４トランジスタ（Ｔ４）のソース電極に電気的に連結され、第１容量性素子（Ｃ１１）の一端に電気的に連結され、第１容量性素子（Ｃ１１）の他端は、第１電源電圧（ＶＤＤ）に電気的に連結される。また、第４トランジスタ（Ｔ４）のドレイン電極は、初期化電圧（Ｖｉｎｉｔ）ラインに電気的に連結され、第４トランジスタ（Ｔ４）のゲート電極は、直前の走査線（ＳＣＡＮｉ−１）に電気的に連結される。
【００８３】
第１トランジスタ（Ｔ１）は、ゲート電極及びソース電極の間に印加された電圧を電流に変換する駆動トランジスタであり、第２トランジスタ（Ｔ２）は、第１トランジスタ（Ｔ１）をダイオード連結させるダイオード連結トランジスタである。また、第３トランジスタ（Ｔ３）は、走査信号（Ｓｉ）によってデータ線（ＤＡＴＡｊ）に印加されるデータ信号（Ｄｊ）を第１トランジスタ（Ｔ１）に印加するスイッチングトランジスタである。
【００８４】
また、第４トランジスタ（Ｔ４）は、初期化ラインに印加される初期化電圧を第１容量性素子（Ｃ１１）に印加するスイッチングトランジスタであり、第５トランジスタ（Ｔ５）は、第１電源電圧を第１トランジスタ（Ｔ１）のソース電極に印加するスイッチングトランジスタである。
【００８５】
また、第６トランジスタ（Ｔ６）は、発光制御線（Ｅｍｉ）に印加される発光制御信号によって第１トランジスタ（Ｔ１）から出力される電流を有機電界発光素子（ＯＬＥＤ）に選択的に遮断するスイッチングトランジスタである。
【００８６】
また、第２容量性素子（Ｃ１２）は、第１トランジスタ（Ｔ１）のThreshold電圧を保存して、第１トランジスタ（Ｔ１）のThreshold電圧による偏差を補償するキャパシタである。第１容量性素子（Ｃ１１）は、第１トランジスタ（Ｔ１）のゲート電極及びソース電極の間に印加されたデータ電圧を一定に維持する役割を果たす。
【００８７】
また、本発明の第１の実施形態では、表示パネル２２０の複数の画素は、左眼用画像に対応する画素（以下、左眼用画素）及び右眼用画像に対応する画素（以下、右眼用画素）を含む。このとき、左眼用画素及び右眼用画素は、互いに反復して配列されて形成される。具体的に、左眼用画素及び右眼用画素は、互いに平行に反復して配列されて、ストライプ形態又はジグザグ形態を形成することができる。このような左眼用画素及び右眼用画素の配列は、バリア２３０によって適切に変更される。
【００８８】
バリア２３０は、表示パネル２２０のいずれか一面に配置されて、表示パネル２２０の左眼用画素及び右眼用画素の配列方法に対応するように形成された不透明領域及び透明領域を含む。バリア２３０は、３Ｄ駆動モードによる動作時に、不透明領域及び透明領域を利用して表示パネル２２０の左眼用画素及び右眼用画素に各々投射される左眼画像及び右眼画像を各々使用者の左眼方向及び右眼方向に分離して提供する。バリア２３０の不透明領域及び透明領域は、表示パネル２２０の左眼用画素及び右眼用画素の配列方法によって、ストライプ形態又はジグザグ形態に形成されることができる。本実施形態に係るバリアは、２Ｄ駆動モードでは全てのバリア領域を透明領域にして、表示パネル２２０に表示される画像がそのまま透過されるようにする。
【００８９】
光源２１０は、赤色（Ｒ）、緑色（Ｇ）、青色（Ｂ）の発光ダイオード（図示せず。）を含み、各々赤色（Ｒ）、緑色（Ｇ）、青色（Ｂ）に相当する光を表示パネル２２０に出力する。光源２１０の赤色（Ｒ）、緑色（Ｇ）、青色（Ｂ）の発光ダイオードは、各々
表示パネル２２０のＲ副画素、Ｇ副画素、及びＢ副画素に光を出力する。
【００９０】
図１の表示パネル２２０及びバリア２３０を通じて使用者が立体画像を感じる方法を、図５を参照して概略的に説明する。図５は、使用者が左眼画素及び右眼画素を通じて立体画像を観察する姿を、図５の表示光源２１０、表示パネル２２０、及びバリア２３０をＩ−Ｉ’方向に切断した断面を通して示している。
【００９１】
図５に示したように、表示パネル２２０は、反復して配列された複数の左眼用画素２２１及び複数の右眼用画素２２２を含み、バリア２３０は、複数の左眼用画素２２１及び複数の右眼用画素２２２の配列方向と同一な方向に反復して平行に配列された不透明領域２３１及び透明領域２３２を含む。表示パネル２２０の左眼用画素２２１は、バリア２３０の透明領域２３２を通じて左眼画像を左眼（ＥＬ）に投射し、表示パネル２２０の右眼用画素２２２は、バリア２３０の透明領域２３２を通じて右眼画像を右眼に投射する。バリア２３０の不透明領域２３１は、表示パネル２２０の左眼用画素２２１及び右眼用画素２２２が透明領域２３２を通じて各々左眼及び右眼に画像を投射することができるように光投射経路を形成する。
【００９２】
左眼用画素２２１から投射される左眼用画像は、右眼用画像に対して所定のディスパリティを有する画像に形成され、右眼用画素２２２から投射される右眼用画像は、左眼用画像に対して所定のディスパリティを有する画像に形成される。したがって、使用者は、左眼用画素２２１から投射される左眼用画像及び右眼用画素２２２から投射される右眼用画像を各々左眼及び右眼で認識する時に、実際の立体対象物を左眼及び右眼を通して見るのと同様の深さ情報を得るので、立体感を感じるようになる。
【００９３】
［１．３  データ駆動部３００］
データ駆動部３００は、印加される画像データ（ＤＩ）に対応する画像信号を生成して、データ駆動部制御信号によって表示パネル２２０のデータ線（Ｄ１〜Ｄｍ）に印加する。本実施形態に係る画像信号は、画像データ（ＤＡＴ）が変換されたアナログデータ電圧である。
【００９４】
［１．４  走査駆動部４００］
走査駆動部４００は、制御部１００から出力される走査駆動部制御信号（ＳＧ）によって選択信号（Ｓ１〜Ｓｎ）を順次に生成して、表示パネル２２０の複数の走査線に各々印加する。
【００９５】
［１．５  光源制御部６００］
光源制御部６００は、制御部１００から出力される制御信号（ＳＬ）によって光源２１０の発光ダイオードの点灯時期を制御する。このとき、データ駆動部３００からアナログデータ電圧をデータ線に供給する期間及び光源制御部６００によって赤色（Ｒ）、緑色（Ｇ）、青色（Ｂ）の発光ダイオードを点灯する期間は、制御部１００によって提供される制御信号によって同期される。
【００９６】
［１．６  ユーザインターフェース７００］
ユーザインターフェース７００は、駆動モードなどの使用者の動作命令を受信して、制御部１００に伝達する。使用者選択信号（Ｕｃ）は、２Ｄ又は３Ｄ駆動モードのうちのいずれか１つを選択する信号であり、使用者選択信号（Ｕｃ）が入力されると、ユーザインターフェース７００は、制御部１００に使用者が指定した駆動モードを伝達する。以下、本実施形態に係る制御部の構造を、図６及び図７を参照して具体的に説明する。
【００９７】
（２．制御部１００の詳細）
次に、本実施形態に係る制御部１００の詳細について説明する。図６は本実施形態に係る制御部を示した図面である。
【００９８】
図６に示したように、制御部１００は、選択部（Selection  unit）１１０と、３Ｄ画像処理部（image  processing  unit）１２０と、２Ｄ画像処理部１３０と、タイミング制御部（Timing  controller）１４０とを含む。
【００９９】
［２．１  選択部１１０］
選択部１１０は、入力された画像信号を分析して、２Ｄ画像信号であるか３Ｄ画像信号であるかを判断し、使用者選択信号を考慮して、駆動モードを決定する。
【０１００】
図７は本実施形態に係る選択部を示した図面である。
【０１０１】
図７に示したように、選択部１１０は、２Ｄ／３Ｄ感知部（detector）１１１と、駆動モード決定部（Driving  mode  determiner）１１２と、バリア駆動モード決定部（Barrier  driving  mode  determiner）１１３と、画像信号出力部（Image  signal  output  unit）１１４とを含む。
【０１０２】
２Ｄ／３Ｄ感知部１１１は、画像信号を分析して、２Ｄ画像信号であるか３Ｄ画像信号であるかを判断し、判断の結果を駆動モード決定部１１２に伝送する。具体的に、画像信号は、２Ｄ画像信号及び３Ｄ画像信号による各々の判別信号を含むことができる。２Ｄ／３Ｄ感知部１１１は、２Ｄ画像信号及び３Ｄ画像信号による別個の判別信号を認識して、入力される画像信号が２Ｄ画像信号であるか３Ｄ画像信号であるかを判断することができる。
【０１０３】
駆動モード決定部１１２は、画像信号の感知の結果及び使用者選択信号（Ｕｃ）を考慮して、駆動モードを決定する。具体的に、画像信号の感知の結果が２Ｄ画像信号であるときに、使用者選択信号が３Ｄ駆動モードを指示する場合には、駆動モード決定部１１２は、２Ｄ画像信号を利用して３Ｄ画像データを生成することができるかを判断する。３Ｄ画像データを生成するためには、別途の構成要素が必要であり、本実施形態に係る２Ｄ／３Ｄ画像表示装置は、別途の構成要素を含まないものとする。
【０１０４】
駆動モード決定部１１２は、別途の構成要素を含まないので、２Ｄ画像信号を利用して３Ｄ画像データを生成することができない場合には、使用者選択信号（Ｕｃ）を無視して２Ｄ駆動モードに決定する。２Ｄ画像信号を３Ｄ画像データに変換することができない場合には、２Ｄ画像データが表示パネルに表示され、このときに、バリアが３Ｄ駆動モードである場合には、画質が低下する。本実施形態に係る２Ｄ／３Ｄ画像表示装置及びその駆動方法は、使用者が３Ｄ画像モードを選択する場合でも、２Ｄ画像信号を３Ｄ画像データに変換することができない場合には、使用者の選択を無視して、バリアを２Ｄ駆動モードに維持することができる。これとは異なって、２Ｄ画像信号から３Ｄ画像データを生成することができる構成要素を含む場合には、使用者選択信号を優先して、使用者の選択によって駆動モードを制御する。
【０１０５】
使用者の選択が２Ｄ駆動モードであるときに３Ｄ画像信号が入力された場合には、使用者の選択によって２Ｄ駆動モードで３Ｄ画像信号を表示する。一般に、３Ｄ画像信号は、２Ｄ画像信号を含んでいるので、制御部１００は、３Ｄ画像信号から２Ｄ画像信号を検出して、これを利用して２Ｄ画像データを生成する。駆動モード決定部１１２は、使用者選択信号が認識されない場合には、画像信号によって駆動モードを決定する。駆動モード決定部１１２は、駆動モードを決定すると、画像信号出力部１１４及びバリア駆動モード決定部１１３に決定された駆動モードを伝送する。
【０１０６】
バリア駆動モード決定部１１３は、駆動モード決定部１１２から入力された駆動モードによってバリア駆動モードを決定する。バリア駆動モード決定部１１３は、バリア駆動モード制御信号を生成して、タイミング制御部１４０に伝送する。バリア駆動モード制御信号は、決定された駆動モードに対応して、２Ｄ駆動モードである場合には、バリアを表示パネルに表示される全ての画像を透過させるように制御し、３Ｄ駆動モードである場合には、バリアを透過領域及び不透過領域に区分するように制御する。
【０１０７】
バリア駆動モード決定部１１３は、駆動モードが２Ｄ駆動モードから３Ｄ駆動モードに変更される場合には、３Ｄ画像データがデータ駆動部３００によってデータ線に伝達される前にバリア駆動モードを３Ｄ駆動モードに変更するバリア駆動モード制御信号を生成して、タイミング制御部１４０に伝達する。反対に、３Ｄ駆動モードから２Ｄ駆動モードに変更される場合には、２Ｄ画像データの１フレームが表示パネル２２０全体に表示されるまでバリアを３Ｄ駆動モードに維持した後、直ちにバリア駆動モードを３Ｄ駆動モードに変更するバリア駆動モード制御信号を生成して、タイミング制御部１４０に伝送する。
【０１０８】
画像信号出力部１１４は、駆動モード決定部１１２から伝送された駆動モードによって画像信号を３Ｄ又は２Ｄ画像処理部に伝送する。本実施形態に係る画像信号出力部１１４は、所定の時間の間は画像信号を保存して、駆動モードが決定されれば、決定された駆動モードによって画像信号を３Ｄ画像処理部１２０又は２Ｄ画像処理部１３０に伝送する。所定の時間は、画像データの１フレームより短い時間である。
【０１０９】
［２．２  ３Ｄ画像処理部１２０］
３Ｄ画像処理部１２０は、入力された３Ｄ画像信号に基づいて立体画像データを生成して、生成された立体画像データをタイミング制御部１４０に伝送する。
【０１１０】
［２．３  ２Ｄ画像処理部１３０］
２Ｄ画像処理部１３０は、入力された２Ｄ画像信号に基づいて画像データを生成して、生成された画像データをタイミング制御部１４０に伝送する。
【０１１１】
［２．４  タイミング制御部１４０］
タイミング制御部１４０は、外部から水平周期信号（Ｈｓｙｎｃ）、垂直同期信号（Ｖｓｙｎｃ）を受信する。また、タイミング制御部１４０は、３Ｄ画像処理部１２０又は２Ｄ画像処理部１３０から画像データを受信し、選択部１１０からバリア駆動モード制御信号を受信する。タイミング制御部１４０は、水平同期信号（Ｈｓｙｎｃ）、垂直同期信号（Ｖｓｙｎｃ）によって画像データをデータ駆動部３００に伝送し、走査駆動部制御信号を走査駆動部に伝送する。タイミング制御部１４０は、バリア駆動モード制御信号によってバリアを駆動させる信号をバリアに伝達する。タイミング制御部１４０は、２Ｄ駆動モードから３Ｄ駆動モードに変更する場合には、２Ｄ画像データの１フレームが終わった後、直ちに３Ｄ駆動モードを指示するバリア制御信号を伝達する。また、３Ｄ駆動モードから２Ｄ駆動モードに変更する場合には、２Ｄ画像データの１フレームが終わった後、直ちに２Ｄ駆動モードを指示するバリア制御信号を伝達する、タイミング制御部１４０は、光源の点灯を制御するための制御信号（ＳＬ）を光源制御部に伝達する。
【０１１２】
（３．第１の実施形態の動作）
以下、図８を参照して、タイミング制御部から伝送されるバリア制御信号によってバリア駆動部がバリアを動作させる方法について説明する。
【０１１３】
図８は本実施形態に係る画像信号、画像データ、及びバリア駆動モードを同一の時点で示した図面である。
【０１１４】
図８に示したように、時点Ｔ１で２Ｄ画像信号から３Ｄ画像信号に変更されると、選択部によって生成されたバリア駆動モード制御信号がタイミング制御部１４０に伝送され、タイミング制御部１４０は、バリア駆動モード制御信号及び最後の２Ｄ画像データの１フレームが終わる時点を認識して、バリア駆動部に直ちに３Ｄ駆動モードを指示するバリア制御信号を伝達する。そうすると、バリアは、実質的に時点Ｔ１で３Ｄ駆動モードに変更される。また、時点Ｔ２で３Ｄ画像信号から２Ｄ画像信号に変更されると、選択部によって生成されたバリア駆動モード制御信号がタイミング制御部１４０に伝送され、タイミング制御部１４０は、バリア駆動モード制御信号及び最初の２Ｄ画像データの１フレームが終わる時点を認識して、バリア駆動部に２Ｄ駆動モードを指示するバリア制御信号を伝達する。そうすると、バリアは、時点Ｔ３で２Ｄ駆動モードに変更される。
【０１１５】
図９は本実施形態に係る２Ｄ／３Ｄ画像表示装置の駆動方法を示したフローチャートである。図９のフローチャートは、使用者選択信号に関係なく、現在入力される画像信号によって２Ｄ又は３Ｄ駆動モードを決定すると仮定して示した。
【０１１６】
制御部１００は、画像信号を受信して（Ｓ１００）、入力された画像信号が２Ｄ画像信号であるか３Ｄ画像信号であるかを判断する（Ｓ２００）。Ｓ２００段階で、制御部１００は、入力された画像信号が２Ｄ画像信号である場合には、１フレーム前の画像信号が３Ｄ画像信号であるかを判断する（Ｓ２２０）。Ｓ２２０段階で、判断の結果、１フレーム前の画像信号が３Ｄ画像信号でない場合には、バリア駆動部は、バリア駆動モードを２Ｄ駆動モードに維持する（Ｓ２２１）。そして、データ駆動部３００は、２Ｄ画像データを表示パネルに伝達する（Ｓ２２５）。
【０１１７】
Ｓ２２０段階で、判断の結果、１フレーム前の画像信号が３Ｄ画像信号である場合には、制御部は、現在の１フレームの２Ｄ画像データがデータ駆動部３００に伝達されたかを判断する（Ｓ２２２）。ここで、１フレームの２Ｄ画像データが伝達されなかった場合には、バリア駆動部は、バリア駆動モードを３Ｄ駆動モードに維持する（Ｓ２２３）。Ｓ２２１段階で、判断の結果、３Ｄ画像信号から２Ｄ画像信号に変更された後、最初の１フレームの２Ｄ画像データがデータ駆動部３００から表示パネルに出力された場合には、バリア駆動部５００は、バリア駆動モードを２Ｄ駆動モードに変更する（Ｓ２２４）。そして、データ駆動部３００は、２Ｄ画像データを表示パネルに伝達する（Ｓ２２５）。
【０１１８】
Ｓ２００段階で、制御部１００は、入力された画像信号が３Ｄ画像信号である場合には、１フレーム前の画像信号が２Ｄ画像信号であるかを判断する（Ｓ２１０）。Ｓ２１０段階で、判断の結果、１フレーム前の画像信号が２Ｄ画像信号でない場合には、バリア駆動部５００は、バリア駆動モードを３Ｄ駆動モードに維持する（Ｓ２１３）。そして、データ駆動部３００は、３Ｄ画像データを表示パネルに伝達する（Ｓ２１２）。Ｓ２１０段階で、判断の結果、１フレーム前の画像信号が２Ｄ画像信号である場合には、バリア駆動部５００は、バリア駆動モードを３Ｄ駆動モードに変更する（Ｓ２１１）。そして、データ駆動部３００は、３Ｄ画像データを表示パネルに伝達する（Ｓ２１２）。
【０１１９】
このように、本実施形態に係る電子画像機器としての２Ｄ／３Ｄ画像表示装置及び電子画像機器の駆動方法は、３Ｄ画像が表示される前にバリアを予め３Ｄ駆動モードに変更することによって、より鮮明な３Ｄ画像を提供する。また、３Ｄ画像から２Ｄ画像に変更される時に、最初の１フレームの２Ｄ画像が表示される期間の間は表示パネルの一部の領域に３Ｄ画像がより鮮明に表示される。
【０１２０】
（４．第２の実施形態）
一方、２Ｄ画像から３Ｄ画像に変更されるとき、又は３Ｄ画像から２Ｄ画像に変更されるときには、表示パネルには２Ｄ画像及び３Ｄ画像が共に表示される。この場合、バリアの駆動を制御することによって、画質の改善が可能である。しかし、２Ｄ画像から３Ｄ画像、又は３Ｄ画像から２Ｄ画像に変更する１フレームの間に、使用者が表示パネルの一部の領域で３Ｄ駆動モードのバリアを通じて２Ｄ画像を見たり、２Ｄ駆動モードのバリアを通じて３Ｄ画像を見ることがある。したがって、これを防止するための２Ｄ／３Ｄ画像表示装置の駆動方法を、図１０及び図１１を参照して以下で説明する。
【０１２１】
以下、本発明の第２の実施形態に係る電子画像機器としての２Ｄ／３Ｄ画像表示装置について説明する。図１０は、本発明の第２の実施形態に係る制御部１００を示した図面である。
【０１２２】
図１０に示したように、制御部は、選択部１１０’（Selection  unit）と、画像処理部１２０’（Image  processing  unit）と、タイミング制御部１３０’（Timing  controller）とを含む。
【０１２３】
選択部１１０’は、入力された画像信号を感知して、２Ｄ画像信号であるか３Ｄ画像信号であるかを判断する。選択部１１０’は、２Ｄ画像信号から３Ｄ画像信号に変更されたことを感知した場合には、第１駆動変換制御信号を生成し、３Ｄ画像信号から２Ｄ画像信号に変更されたことを感知した場合には、第２駆動変換制御信号を生成する。生成された第１及び第２駆動変換制御信号は、タイミング制御部１３０’及び画像処理部１２０’に伝達される。選択部１１０’は、入力された画像信号を画像処理部１２０に伝達する。
【０１２４】
画像処理部１２０’は、２Ｄ画像処理部（図示せず。）及び３Ｄ画像処理部（図示せず。）を含む。画像信号が２Ｄ画像信号である場合には、２Ｄ画像処理部に入力されて、２Ｄ画像データが生成される。画像信号が３Ｄ画像信号である場合には、３Ｄ画像処理部１２０’に入力されて、３Ｄ画像データが生成される。生成された２Ｄ画像データ及び３Ｄ画像データは、タイミング制御部１３０’に伝達される。画像処理部１２０’は、第１及び第２駆動変換制御信号が入力されると、ブラックＫ画面を表示する画像データを生成して、タイミング制御部１３０’に伝達する。
【０１２５】
タイミング制御部１３０’は、垂直同期信号と、水平同期信号と、第１及び第２駆動変換制御信号と、画像データとを受信する。タイミング制御部１３０’は、垂直同期信号、水平同期信号によって画像データをデータ駆動部に伝達し、走査駆動部に走査制御信号を伝達する。
【０１２６】
タイミング制御部１３０’は、第１駆動変換制御信号が入力されると、バリア駆動モードを３Ｄ駆動モードに変更するバリア駆動部制御信号を生成して、バリア駆動部に伝達し、ブラック画面を表示する画像データを１フレームの間にデータ駆動部に伝達する。また、タイミング制御部１３０’は、第２駆動変換制御信号が入力されると、ブラック画面を表示する画像データを１フレームの間にデータ駆動部に伝達し、バリア駆動モードを２Ｄ駆動モードに変更するバリア駆動部制御信号を生成して、バリア駆動部に伝達する。データ駆動部（図示せず。）は、第１及び第２駆動変換制御信号によって出力されたブラック画面を表示する画像データを１フレームの間に表示パネルに伝達する。そうすると、バリア駆動モードが２Ｄ駆動モードから３Ｄ駆動モードに変更される間に表示パネルに３Ｄ画像データが表示されないので、表示パネルに２Ｄ及び３Ｄ画像が同時に表示されることがない。また、バリア駆動モードが３Ｄ駆動モードから２Ｄ駆動モードに変更される間に表示パネルに３Ｄ画像データが表示されない。したがって、表示パネルに２Ｄ及び３Ｄ画像が同時に表示されることがない。
【０１２７】
以下、図１１を参照して、具体的な駆動方法を説明する。
【０１２８】
図１１は本発明の第２の実施形態に係る２Ｄ／３Ｄ画像表示装置の画像データ信号及びバリア駆動モードを示した図面である。
【０１２９】
図１１に示したように、時点Ｔ４で２Ｄ画像信号が３Ｄ画像信号に変更されると、選択部１１０は、第１駆動変換制御信号を生成する。生成された第１駆動変換制御信号は、画像処理部１２０に伝達され、画像処理部１２０は、区間Ｔ１１の間にブラック画面を表示する画像データを生成する。本発明の第２の実施形態に係る区間Ｔ１１は、１フレームと同一である。タイミング制御部１３０は、第１駆動変換制御信号によって時点ＢＳ１又は時点ＢＳ１以降の区間でバリア駆動モードを３Ｄ駆動モードに変更するバリア駆動部制御信号を伝達する。バリアは、一般に液晶で具現され、液晶そのものの特性によって、バリアの駆動モードが変更されるまでに遅延時間が発生する。したがって、遅延時間が１フレームより長い場合には、遅延時間を考慮して、時点ＢＳ１又は時点ＢＳ１及び時点ＢＳ２の間にバリアを２Ｄ駆動モードから３Ｄ駆動モードに変更し始める必要がある。遅延時間が１フレームより長くない場合には、時点ＢＳ２又は時点ＢＳ２以降の時点で、遅延を考慮して、遅延時間に対応する程度に速くバリアを３Ｄ駆動モードに変更する。そうすると、バリアは、区間Ｔ２１の間に２Ｄ駆動モードから３Ｄ駆動モードに変更される。
【０１３０】
反対に、時点Ｔ５で３Ｄ画像信号が２Ｄ画像信号に変更されると、選択部１１０は、第２駆動変換制御信号を生成する。生成された第２駆動変換制御信号は、画像処理部１２０に伝達され、画像処理部１２０は、区間Ｔ１２の間はブラック画面を表示する画像データを生成する。本発明の第２の実施形態に係る区間Ｔ１２は、１フレームと同一である。タイミング制御部１３０は、第２駆動変換制御信号によって、時点ＢＳ３又は時点ＢＳ３以降の区間でバリア駆動モードを２Ｄ駆動モードに変更するバリア駆動部制御信号を伝達する。バリア駆動部は、バリア駆動部制御信号によって区間Ｔ２２の間の特定の時点でバリアを３Ｄ駆動モードから２Ｄ駆動モードに変更し始める。具体的に、バリアの駆動モードが変更されるまでに遅延時間が発生することがあるので、より速い駆動モードの変更のために、時点ＢＳ３で駆動モードを変更し始める。
【０１３１】
２Ｄ／３Ｄ画像表示装置は、１フレームのブラック画面を挿入するのと類似して、光源を利用して２Ｄ及び３Ｄ画像が表示パネルに同時に表示されるのを防止することができる。具体的に、タイミング制御部１３０は、第１及び第２駆動変換制御信号が入力されると、光源を遮断して、区間Ｔ１１又は区間Ｔ１２の間はオフされた状態を維持する。つまり、タイミング制御部１３０は、区間Ｔ１１及び区間Ｔ１２の間に光源制御部６００に光源遮断制御信号を伝達し、光源制御部は、光源遮断制御信号によって光源を区間Ｔ１１及び区間Ｔ１２の間はオフする。そして、タイミング制御部１３０は、第１及び第２駆動変換制御信号によって、各々の光源が遮断される時点からバリア駆動モードを変更し始める。そうすると、表示パネルにブラック画面が表示されるのと同一になる。この時、タイミング制御部１３０は、画像処理部１２０から出力される画像データを１フレームの間は出力せずに、１フレーム遅延させてデータ駆動部３００に伝送することができる。また、バリア駆動モードの変更に所要される遅延時間によって、区間Ｔ１１より長い区間Ｔ２１の間は光源を遮断することができる。そうすると、上記のように、バリア駆動モードが変更される間は表示パネルにブラック画面が表示される。
【０１３２】
このように、本発明の第２の実施形態に係る２Ｄ／３Ｄ画像表示装置の選択部は、２Ｄ画像から３Ｄ画像に変更されたり、３Ｄ画像から２Ｄ画像に変更されるのを感知すると、駆動モード変換制御信号を生成して、タイミング制御部に伝送する。タイミング制御部は、駆動モード変換制御信号によって、最初の画像データをデータ駆動部に伝達せずにブラック画面を表示する画像データをデータ駆動部に伝達する。また、タイミング制御部は、バリア駆動モードを変更する制御信号をバリア駆動部に伝送する。２Ｄ画像から３Ｄ画像に変更される場合には、表示パネルにブラック画面が表示される区間の間にバリア駆動モードを変更することができる。反対に、３Ｄ画像から２Ｄ画像に変更される場合には、３Ｄ画像が２Ｄ駆動モードで表示されないように、ブラック画面の１フレームが全て表示された後に、バリア駆動モードを変更し始める。したがって、本発明の第２の実施形態に係る２Ｄ／３Ｄ画像表示装置及びその駆動方法は、２Ｄ画像信号から３Ｄ画像信号に変更されたり、その反対の場合に、駆動モードの変更による画質の低下を防止することができる。
【０１３３】
本発明によれば、入力画像信号に対応する駆動モードによって光学素子を制御し、入力画像信号が２Ｄ画像信号から３Ｄ画像信号に変更されたり、その反対の場合に発生する画質の低下を防止することができる。
【０１３４】
本発明によれば、画像が表示される表示パネル全体又は一部の領域で、２Ｄ画像信号が３Ｄ画像信号に変更されたり、３Ｄ画像信号が２Ｄ画像信号に変更される場合に、光学素子の駆動モードを表示される画像と同期させることによって、画質の低下を減少させることができる。
【０１３５】
また、本発明によれば、２Ｄ画像信号が３Ｄ画像信号に変更されたり、３Ｄ画像信号が２Ｄ画像信号に変更される場合に、ブラック画面を挿入することによって、画面に２Ｄ及び３Ｄ画像が同時に表示されるのを防止して、画質の低下を減少させることができる。
【０１３６】
更に、本発明によれば、使用者の選択によって、２Ｄ画像信号が３Ｄ駆動モードで表示されるのを防止して、画質の低下を減少させることができる。
【０１３７】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【０１３８】
例えば、ここまで、表示パネル全体が２Ｄ（平面画像）又は３Ｄ（立体画像）を表示する場合を仮定して説明したが、本発明はこれに限定されない。表示パネル全体の一部の領域が立体画像を表示することができる場合にも、本発明は適用される。このとき、外部から入力される画像信号が立体画像信号及び平面画像信号の両方を含むことができる。そして、表示パネルは、立体画像信号又は平面画像信号によって立体画像又は平面画像を時分割的に表示する第１領域、及び平面画像又は立体画像だけを表示する第２領域を含む。したがって、第１領域は、上記で説明した本発明の実施例によって動作することができる。つまり、本発明による電子画像機器は、表示パネルの第１領域に対応するバリアを含み、バリアは、第１領域に表示される画像に対応して動作する。この時、第２領域が常に平面画像だけを表示する場合には、本発明による電子画像機器は、第２領域に対応するバリアを含まないこともあり、第２領域が常に立体画像だけを表示する場合には、本発明による電子画像機器は、第２領域に対応するバリアを含み、バリアは、立体画像を表示するための駆動モードで動作する。
【図面の簡単な説明】
【０１３９】
【図１】本発明の第１の実施形態に係る電子画像機器としての立体画像表示装置を概略的に示した図面である。
【図２】同実施形態に係る第１の実施例による画素回路を示した図面である。
【図３】同実施形態に係る第２の実施例による画素回路を示した図面である。
【図４】同実施形態に係る第３の実施例による画素回路を示した図面である。
【図５】使用者が左眼画素及び右眼画素を通じて立体画像を観察する姿を示した図面である。
【図６】本発明の第１の実施形態に係る制御部を示した図面である。
【図７】同実施形態に係る選択部を示した図面である。
【図８】同実施形態に係る画像信号、画像データ、及びバリア駆動モードを示した図面である。
【図９】同実施形態に係る２Ｄ／３Ｄ画像表示装置の駆動方法を示したフローチャートである。
【図１０】本発明の第２の実施形態に係る制御部を示した図面である。
【図１１】本発明の第２の実施形態に係る２Ｄ／３Ｄ画像表示装置の画像データ信号及びバリア駆動モードを示した図面である。
【符号の説明】
【０１４０】
１１０、１１０’      選択部
１１１      ２Ｄ／３Ｄ感知部
１１２      駆動モード決定部
１１３      バリア駆動モード決定部
１１４      画像信号出力部
１２０      ３Ｄ画像処理部
１２０’      画像処理部
１３０      ２Ｄ画像処理部
１４０、１３０’      タイミング制御部
２００      表示部
２１０      光源
２２０      表示パネル
２２１、２２２      画素
２３０      バリア
３００      データ駆動部
４００      走査駆動部
５００      バリア駆動部
６００      光源制御部
７００      ユーザインターフェース
【図１】
2007286623.tif 000004
【図２】
2007286623.tif 000005
【図３】
2007286623.tif 000006
【図４】
2007286623.tif 000007
【図５】
2007286623.tif 000008
【図６】
2007286623.tif 000009
【図７】
2007286623.tif 000010
【図８】
2007286623.tif 000011
【図９】
2007286623.tif 000012
【図１０】
2007286623.tif 000013
【図１１】
2007286623.tif 000014